(57)【要約】  本発明は、ハンドヘルド器具１の本体２の駆動シャフト６とハンドヘルド器具１の解放可能な機能的アタッチメント３の被駆動部７とを結合するためのカップリング構造８、９、１０に関する。カップリング構造は、結合ブッシュ８、結合ヘッド９及び結合スプリング１０を有する。結合ヘッド９は機能的アタッチメント３内に軸方向に固定され、結合ブッシュ８は本体２内に軸方向に変位可能である。結合スプリング１０は、本体２に収容されており、機能的アタッチメント３が本体２に装着されるとき、結合ブッシュ８を結合ヘッド９に向けて変位させるように促している。カップリング構造は、カップリング構造の軸方向、特に機能的アタッチメント内でコンパクトである。
2021533948.tif 000002
【特許請求の範囲】
【請求項１】
本体と機能的アタッチメントとを有するハンドヘルド器具であって、
前記ハンドヘルド器具が、前記機能的アタッチメントが前記本体に解放可能に装着された装着状態を持ち、
前記本体は、モータと駆動シャフトとを収容し、前記ハンドヘルド器具を手で保持するためのハンドグリップ領域を含み、
前記機能的アタッチメントが、被駆動部と、前記ハンドヘルド器具の機能を実行するための機能的構造とを収容し、
前記ハンドヘルド器具は、相互に共回転するよう前記駆動シャフトと前記被駆動部とを結合するカップリング構造を有し、
前記カップリング構造の結合状態が、前記ハンドヘルド器具が前記装着状態にあり、前記カップリング構造が相互共回転のため前記駆動シャフトと前記被駆動部とを結合する状態として規定され、
前記カップリング構造の非結合状態は、前記カップリング構造が前記駆動シャフトと前記被駆動部とを結合していない状態として規定され、
前記ハンドヘルド器具の動作状態が、前記カップリング構造が前記結合状態にあり、前記モータが前記駆動シャフトを駆動し、前記駆動シャフトが相互に共回転する態様で前記被駆動部を駆動し、前記被駆動部が前記機能的アタッチメントの機能的構造を駆動する状態として規定され、
前記カップリング構造は、結合ブッシュ、結合ヘッド、及び結合スプリングを含み、前記本体が、前記結合ブッシュを収容し、前記機能的アタッチメントは、前記結合ヘッドを収容し、
前記結合ブッシュ及び前記駆動シャフトが、相互に共回転するように結合され、前記結合ヘッド及び前記被駆動部は、相互に共回転するように結合され、
前記ハンドヘルド器具の前記動作状態における前記駆動シャフトと前記被駆動部との前記相互共回転は、前記カップリング構造の前記結合状態において、前記結合ヘッドが、前記結合ブッシュの軸方向端部を介して前記結合ブッシュの内部空間に少なくとも部分的に挿入されるということで実現され、前記内部空間には、前記結合ブッシュと前記結合ヘッドの間に共回転カップリングが存在し、
前記ハンドヘルド器具の前記装着状態では、前記モータが前記駆動シャフトを駆動するときに前記非結合状態から前記結合状態に移行し、前記モータが前記駆動シャフトを駆動するときに前記結合状態を維持するよう、前記結合スプリングは、前記結合ヘッドと前記結合ブッシュの一方を前記結合ヘッドと前記結合ブッシュの他方に向かって相対的に変位させ、
前記機能的アタッチメント内で、前記結合ヘッドは、前記被駆動部の回転軸に沿って見られるとき、前記被駆動部に対して軸方向に固定された位置を持ち、
前記本体内で、前記結合ブッシュは、前記駆動シャフトの回転軸に沿って見られるとき、前記駆動シャフトに対して軸方向に変位可能であり、
前記本体は、前記結合スプリングを収容し、前記ハンドヘルド器具の前記装着状態で前記モータが前記駆動シャフトを駆動するとき、前記結合スプリングは、前記カップリング構造の前記結合状態を実行し維持するために、前記駆動シャフトに対する前記カップリングブッシュの変位をもたらす、ハンドヘルド器具。
【請求項２】
前記駆動シャフトに対する前記結合ブッシュの前記軸方向変位可能性が、前記結合ブッシュ及び前記駆動シャフトが相互に伸縮係合する態様で相互接続されることで実現される、請求項１に記載のハンドヘルド器具。
【請求項３】
前記駆動シャフトの前記回転軸に対して横方向の断面で見られるとき、
−前記結合ブッシュの内側の第１の周囲が、第１の非円形状を持ち、
−前記駆動シャフトの外側の第２の周囲は、第２の非円形状を持ち、前記第２の非円形形状が、前記第１の非円形形状と嵌合し、前記結合ブッシュと前記駆動シャフトとの間の前記共回転カップリングが実現され、
−前記結合ヘッドの外側の第３の周囲は、第３の非円形状を持ち、前記第３の非円形形状が、前記第１の非円形形状と嵌合し、前記結合ブッシュと前記結合ヘッドとの間の前記共回転カップリングが実現される、請求項２に記載のハンドヘルド器具。
【請求項４】
前記第２の非円形状の形状が、前記第３の非円形状の形状と同じである、請求項３に記載のハンドヘルド器具。
【請求項５】
前記結合ヘッドが、前記被駆動部の一体的に製造された部分である、請求項１乃至４のいずれか一項に記載のハンドヘルド器具。
【発明の詳細な説明】
【技術分野】
【０００１】
本発明は、例えば電動工具装置又はパーソナルケア装置のようなハンドヘルド器具に関する。
【０００２】
従って、本発明は、本体及び機能的アタッチメントを有するハンドヘルド器具に関し、
上記ハンドヘルド器具が、上記機能的アタッチメントが上記本体に解放可能に装着された装着状態を持ち、
本体は、モータ及び駆動シャフトを収容し、ハンドヘルド器具を手で保持するためのハンドグリップ領域を含み、
機能的アタッチメントは、被駆動部と、ハンドヘルド器具の機能を実行するための機能的構造とを収容し、
ハンドヘルド器具は、相互に共回転させるため駆動シャフト及び被駆動部を結合するカップリング構造を有し、
上記カップリング構造の結合状態は、上記ハンドヘルド器具が上記装着状態にあり、上記カップリング構造が、相互に共回転するよう駆動シャフト及び被駆動部を結合した状態として規定され、
上記カップリング構造の非結合状態は、上記カップリング構造が、駆動シャフト及び被駆動部を結合していない状態として規定され、
ハンドヘルド器具の動作状態は、上記カップリング構造が上記結合状態にあり、上記モータが上記駆動シャフトを駆動し、上記駆動シャフトが相互に共回転するよう上記被駆動部を駆動し、上記被駆動部が上記機能的アタッチメントの機能的構造を駆動する状態として規定され、
上記カップリング構造は、結合ブッシュ、結合ヘッド及び結合スプリングを有し、上記本体は、上記結合ブッシュを収容し、機能的アタッチメントは、結合ヘッドを収容し、
結合ブッシュ及び駆動シャフトは相互に共回転するよう結合され、結合ヘッド及び被駆動部は相互に共回転するよう結合され、
ハンドヘルド器具の上記動作状態における上記駆動シャフト及び被駆動部の上記相互共回転は、上記カップリング構造の上記結合状態において、上記結合ヘッドが、上記結合ブッシュの軸方向端部を介して上記結合ブッシュの内部空間に少なくとも部分的に挿入されることで実現され、上記内部空間内には、上記結合ブッシュと上記結合ヘッドとの間の共回転カップリングが存在し；及び
上記ハンドヘルド器具の上記装着状態では、上記結合スプリングは、上記モータが上記駆動シャフトを駆動するときに上記非結合状態から上記結合状態に移行するように、かつ上記モータが上記駆動シャフトを駆動するときに上記結合状態を維持するように、上記結合ヘッド及び上記結合ブッシュの一方を上記結合ヘッド及び上記結合ブッシュの他方に向かって相対的に変位させる。
【背景技術】
【０００３】
上記したタイプのハンドヘルド器具は、実務上知られる。図２、図３Ａ〜３Ｂ、図４Ａ〜４Ｂは、従来技術から知られる斯かるハンドヘルド器具を説明する。
【０００４】
図２、図３Ａ〜３Ｂ、図４Ａ〜４Ｂで使用される参照符号は、従来技術から知られるハンドヘルド器具の上述の部分及び側面、並びに関連する部分及び側面を、以下の態様で参照している。
１０１  ハンドヘルド器具
１０２  ハンドヘルド器具１０１の本体
１０３  ハンドヘルド器具１０１の機能的アタッチメント
１０４  本体１０２のハンドグリップ領域
１０５  機能的アタッチメント１０３の機能的構造
１０６  駆動シャフト
１０７  被駆動部
１０７Ａ  被駆動部１０７の接続カラー
１０７Ｂ  接続カラー１０７Ａの軸方向スロット
１０８  結合ブッシュ
１０８Ａ  結合ブッシュ１０８の接続カラー
１０９  結合ヘッド
１０９Ａ  結合ヘッド１０９の径方向突出部
１１０  駆動シャフト１０６の結合スプリング
１１６  駆動シャフト１０６の回転軸
１１７  被駆動部１０７の回転軸
１２７  被駆動部１０７用ピボットピン
【０００５】
以上の導入的な説明と、以上に説明した参照符号とに基づき、図２、図３Ａ〜３Ｂ、図４Ａ〜４Ｂの例は、大部分が容易に自明である。以下に更なる説明が与えられる。
【０００６】
図２の断面透視図において、既知のハンドヘルド器具１０１は、ハンドヘルド器具１０１の本体１０２から機能的アタッチメント１０３が解放された状態で示される。図示されたハンドヘルド器具１０１は、シェービング装置である。そこでは、機能的アタッチメント１０３の機能的構造１０５が２つのヘアカットユニット１０５を有し、その１つのみが図２に示される。図２の断面図は更に、少なくとも駆動シャフト１０６、結合ブッシュ１０８、結合ヘッド１０９、結合スプリング１１０、被駆動部１０７、及び被駆動部１０７のピボットピン１２７を明らかにする。図２において、カップリング構造１０８、１０９、１１０は、その非結合状態にある。
【０００７】
図３Ａ〜３Ｂはそれぞれ、被駆動部１０７と共にカップリング構造１０８、１０９、１１０を示す側面図及び断面図を示す。被駆動部１０７は、ギアホイールであり、そこでは、接続カラー１０７ａがギアホイールの一体的に製造された部分である。
【０００８】
図４Ａ〜４Ｂは、図３Ｂと比較して、カップリング構造１０８、１０９、１１０を、比較可能に、しかしより概略的な断面図で示す。図４Ａ〜４Ｂは更に、駆動シャフト１０６を示す。結合ブッシュ１０８は、その接続カラー１０８ａを介して、回転軸１１６の周りで共回転可能な態様で駆動シャフト１０６に固定的に取り付けられることに留意されたい。
【０００９】
結合スプリング１１０は、被駆動部１０７と結合ヘッド１０９との間に保持される。結合ヘッド１０９及び結合スプリング１１０の両方が、回転軸１１７の周りで共回転可能な態様で被駆動部１０７に結合される。これらの共回転性は、結合ヘッド１０９の径方向突起部１０９Ａが被駆動部１０７の接続カラー１０７Ａの軸方向スロット１０７Ｂ内に延在していることで実現される。
【００１０】
接続カラー１０７Ａの上記軸方向スロット１０７Ｂ、及び結合ヘッド１０９の上記径方向突起部１０９Ａは、結合ヘッド１０９が被駆動部分１０７に対して軸方向に変位することを可能にする付加的な機能を持つ。
【発明の概要】
【発明が解決しようとする課題】
【００１１】
既知のカップリング構造１０８、１０９、１１０の結合状態が、図３Ａ〜３Ｂに示される。カップリング構造１０８、１０９、１１０の結合状態は、機能的アタッチメント１０２（図２参照）が本体１０３（図２参照）に装着されることを必要とする。カップリング構造１０８、１０９、１１０の結合状態は更に、結合ヘッド１０９が結合ブッシュ１０８の軸方向端部を介して結合ブッシュ１０８の内部空間に少なくとも部分的に挿入されることを必要とする。上記内部空間には、結合ブッシュ１０８と結合ヘッド１０９との間に共回転カップリングが存在する。カップリング構造１０８、１０９、１１０において、上記内部空間における上記共回転カップリングは、上記結合ヘッド１０９の外側の周囲が、多角形形状を持つことで実現される。この多角形形状は、回転軸１１６、１１７に対して横方向の断面で見て、上記結合ブッシュ１０８の内側の周囲の多角形形状と嵌合する。
【００１２】
図４Ａ及び図４Ｂはいずれも、機能的アタッチメント１０２が本体１０３に取り付けられた状態に関する。しかしながら、２つの図の違いは、図４Ａではカップリング構造１０８、１０９、１１０が非結合状態にあるのに対し、図４Ｂでは結合状態にあることである。即ち、図４Ａでは、結合ヘッド１０９と結合ブッシュ１０８の上述の嵌合多角形形状のずれにより、結合ヘッド１０９は、結合ブッシュ１０８と結合ヘッド１０９との間の共回転カップリングに関して、結合ブッシュ１０８の内部空間内にまだ延在していない。実際には、図４Ａは、ユーザが機能的アタッチメント１０２を本体１０３に装着した直後であって、まだモータが駆動シャフト１０６の駆動を開始していない状況に関する。ユーザがモータを起動するとすぐに、結合ヘッド１０９を結合ブッシュ１０８の内部空間に変位させる結合スプリング１１０の影響で、このずれは自動的に解消され、これにより図４Ｂに示されるような結合状態が得られる。
【００１３】
図２、図３Ａ〜３Ｂ、図４Ａ〜４Ｂから、既知のハンドヘルド器具１０１が以下の特徴を持つことが明らかになるであろう。
【００１４】
−機能的アタッチメント１０３内では、結合ヘッド１０９が、被駆動部１０７の回転軸１１７に沿って見られるとき、被駆動部１０７に対して軸方向に変位可能である。
【００１５】
−本体１０２内で、結合ブッシュ１０８は、駆動シャフト１０６の回転軸１１６に沿って見られるとき、駆動シャフト１０６に対して軸方向に固定された位置を持つ。
【００１６】
−機能的アタッチメント１０３は、結合スプリング１１０を収容し、ここで、結合スプリング１１０は、ハンドヘルド器具の装着状態でモータが駆動シャフト１０６を駆動するときに、カップリング構造１０８、１０９、１１０の結合状態を実行かつ維持するために、被駆動シャフト１０７に対する結合ヘッド１０９の変位を促している。
【００１７】
この既知のハンドヘルド器具１０１の欠点は、特にカップリング構造１０８、１０９、１１０の比較的大きな軸方向長さから見て、カップリング構造が比較的余裕のあるものである点にある。
【００１８】
ＷＯ２００８／０６２３３９Ａ１号は、上述した既知のハンドヘルド器具１０１と多かれ少なかれ類似したハンドヘルド器具を開示することに留意されたい。ＷＯ２００８／０６２３３９Ａ１の図５Ａを参照すると、参照数字４、２、２２は、上述したように、本体１０２、機能的アタッチメント１０３、及び結合ヘッド１０９とそれぞれ類似する部分を示す。ＷＯ２００８／０６２３３９Ａ１の図５Ａは更に、上述した結合スプリング１１０と同様の結合スプリングを示す。しかしながら、対応する結合ブッシュは、ＷＯ２００８／０６２３３９Ａ１号には明示的に示されていない。
【００１９】
本発明の目的は、ハンドヘルド器具の本体の駆動シャフトとハンドヘルド器具の機能的アタッチメントの被駆動部とを結合するための信頼性の高いカップリング構造を提供することであり、特にカップリング構造の軸方向、特にハンドヘルド器具の機能的アタッチメント内において、カップリング構造がよりコンパクトに設計されることができる。
【課題を解決するための手段】
【００２０】
そのために、本発明は、添付の独立請求項１によるハンドヘルド器具を提供する。本発明の好ましい実施形態は、添付の従属請求項２〜５により提供される。
【００２１】
こうして、本発明は、本体と機能的アタッチメントとを有するハンドヘルド器具を提供し、
上記ハンドヘルド器具が、上記機能的アタッチメントが上記本体に解放可能に装着された装着状態を持ち、
本体は、モータ及び駆動シャフトを収容し、ハンドヘルド器具を手で保持するためのハンドグリップ領域を有し、
機能的アタッチメントは、被駆動部と、ハンドヘルド器具の機能を実行するための機能的構造とを収容し、
ハンドヘルド器具は、相互に共回転するよう駆動シャフト及び被駆動部を結合するカップリング構造を有し、
上記カップリング構造の結合状態は、上記ハンドヘルド器具が上記装着状態にあり、上記カップリング構造が、相互に共回転するよう駆動シャフト及び被駆動部を結合した状態として規定され、
上記カップリング構造の非結合状態は、上記カップリング構造が、駆動シャフト及び被駆動部を結合していない状態として規定され、
ハンドヘルド器具の動作状態は、上記カップリング構造が上記結合状態にあり、上記モータが上記駆動シャフトを駆動し、上記駆動シャフトが相互に共回転するよう上記被駆動部を駆動し、上記被駆動部が上記機能的アタッチメントの機能的構造を駆動する状態として規定され、
上記カップリング構造は、結合ブッシュ、結合ヘッド及び結合スプリングを有し、上記本体は上記結合ブッシュを収容し、機能的アタッチメントは、結合ヘッドを収容し、
結合ブッシュ及び駆動シャフトは相互に共回転するよう結合され、結合ヘッド及び被駆動部は相互に共回転するよう結合され、
ハンドヘルド器具の上記動作状態における上記駆動シャフト及び被駆動部の上記相互共回転は、上記カップリング構造の上記結合状態において、上記結合ヘッドが、上記結合ブッシュの軸方向端部を介して上記結合ブッシュの内部空間に少なくとも部分的に挿入されることで実現され、上記内部空間内には、上記結合ブッシュと上記結合ヘッドとの間の共回転カップリングが存在し；及び
上記ハンドヘルド器具の上記装着状態では、上記結合スプリングは、上記モータが上記駆動シャフトを駆動するときに上記非結合状態から上記結合状態に移行するように、かつ上記モータが上記駆動シャフトを駆動するときに上記結合状態を維持するように、上記結合ヘッド及び上記結合ブッシュの一方を上記結合ヘッド及び上記結合ブッシュの他方に向かって相対的に変位させ、
機能的アタッチメント内で、結合ヘッドは、被駆動部の回転軸に沿って見られるとき、被駆動部に対して軸方向に固定された位置を持ち、
上記本体内で、上記結合ブッシュは、上記駆動シャフトの回転軸に沿って見られるとき、上記駆動シャフトに対して軸方向に変位可能であり、
本体は、結合スプリングを収容し、結合スプリングは、ハンドヘルド器具の装着状態でモータが駆動シャフトを駆動するとき、カップリング構造の結合状態を実行し維持するために、駆動シャフトに対する結合ブッシュの変位をもたらす。
【００２２】
従って、本発明によるハンドヘルド器具は、図２、図３Ａ〜３Ｂ、図４Ａ〜４Ｂの既知のハンドヘルド器具とは、以下の点で異なる。
【００２３】
−上記結合ヘッドは、上記機能的アタッチメント内に軸方向に固定される（上記既知のハンドヘルド器具の場合のように、上記機能的アタッチメント内で軸方向に変位可能であるのではなく）。
【００２４】
−上記結合ブッシュは、上記本体内で軸方向に変位可能である（上記既知のハンドヘルド器具の場合のように、上記本体内で軸方向に固定されるのではなく）。
【００２５】
−結合スプリングが本体内に収容される（上記既知のハンドヘルド器具の場合のように、機能的アタッチメント内に収容されるのではなく）。
【００２６】
結合ヘッドが機能的アタッチメント内で軸方向に固定され、結合スプリングが本体内に収容されるおかげで、カップリング構造は、特にカップリング構造の軸方向において、特にハンドヘルド器具の機能的アタッチメント内において、よりコンパクトである。
【００２７】
本発明の好ましい実施形態では、駆動シャフトに対する結合ブッシュの軸方向変位可能性は、結合ブッシュと駆動シャフトとが相互に伸縮係合状態で相互接続されることで実現される。
【００２８】
結合ヘッドではなく結合ブッシュがカップリング構造の軸方向に変位可能な部分であるという事実、及び結合ブッシュが駆動シャフトと上記伸縮係合状態にあるという事実は、結合ヘッドが被駆動部と上記伸縮係合状態にある場合と比較して、非結合状態と結合状態との間の移行及びその逆の移行を実現するための上記軸方向変位可能性がよりコンパクトな構造で実現されることを可能にする。特に、駆動シャフトと結合ブッシュとが伸縮可能な係合をすること、及び結合ブッシュがカップリング構造の上記結合状態で結合ヘッドを受けるための内部空間を有するという事実は、駆動シャフト及び被駆動部の回転軸に平行な軸方向で見られるとき、上記結合状態でのカップリング構造の全体的な寸法を減少させる結果をもたらす。同時に、軸方向に変位可能な結合ブッシュは、一方では駆動シャフトと結合ブッシュとの間の信頼性の高い共回転カップリングを可能にし、他方では結合ブッシュと結合ヘッドとの間の信頼性の高い共回転カップリングを可能にする。言い換えれば、結合ブッシュと駆動シャフトとの間の伸縮係合は、カップリング構造の高い信頼性と組み合わせて、カップリング構造のコンパクトな全体寸法を得ることに更に寄与する。
【００２９】
本発明の別の好ましい実施形態では、駆動シャフトの回転軸に対して横方向の断面で見られるとき：
結合ブッシュの内側の第１の周囲は、例えば第１の多角形のような第１の非円形状を持ち、
駆動シャフトの外側の第２の周囲は、例えば第２の多角形のような第２の非円形状を持ち、上記第２の非円形形状が、上記結合ブッシュと上記駆動シャフトとの間の上記共回転カップリングを実現するために上記第１の非円形形状と嵌合し、及び
結合ヘッドの外側の第３の周囲は、例えば第３の多角形のような第３の非円形状を持ち、上記第３の非円形形状が、上記結合ブッシュと上記結合ヘッドとの間の上記共回転カップリングを実現するため、上記第１の非円形形状と嵌合する。
【００３０】
結合ブッシュと駆動シャフトとの間の伸縮係合において、結合ブッシュの内側の第１の周囲の同じ第１の非円形形状が、駆動シャフト及び結合ヘッドの外側の第２及び第３の周囲の第２及び第３の非円形形状とそれぞれ嵌合するという事実のおかげで、図２、図３Ａ〜３Ｂ、図４Ａ〜４Ｂの既知のハンドヘルド器具と比較して、かなりの省スペース化が図られており、このかなりの省スペース化は、ハンドヘルド器具の装着状態で、即ち本体及び機能的アタッチメントの両方に沿って、完全なカップリング構造の軸方向の全体長さに対して発生する。軸方向の省スペース化の利点の一つは、それが、機能的アタッチメントの機能的構造を本体のハンドグリップ領域にかなり近づけることを可能にし、これは、ハンドヘルド器具のユーザにより多くの制御を与える。
【００３１】
本発明の別の好ましい実施形態では、上記第２の非円形形状は、上記第３の非円形形状と同じである。
【００３２】
本発明の別の好ましい実施形態では、結合ヘッドは、被駆動部の一体的に製造された部分である。
【００３３】
これは、機能的アタッチメントの部品数を減らし、機能的アタッチメントの信頼性及び耐久性を向上させる。
【図面の簡単な説明】
【００３４】
【図１】本発明によるハンドヘルド器具の実施形態の一例を透視表示で示す図である。
【図２】（従来技術）従来技術から知られるハンドヘルド器具を、断面透視表示で示す図であり、この既知のハンドヘルド器具の機能的アタッチメントがこの既知のハンドヘルド器具の本体から解放された状態を示す図である。
【図３Ａ】（従来技術）図２の既知のハンドヘルド器具のカップリング構造を別個に側面表示で示す図であり、カップリング構造がその結合状態にある図である。
【図３Ｂ】（従来技術）再び図３Ａの状況を示すが、今回は、部分的にゴースト表示である断面表示で示す図である。
【図４Ａ】（従来技術）再び図２の既知のハンドヘルド器具のカップリング構造を、図３Ｂの表示に類似した断面部分ゴースト表示で示す図であるが、今回は、図３Ｂよりも表示が概略的であり、カップリング構造が結合状態ではなく、非結合状態である、図である。
【図４Ｂ】（従来技術）再び図４Ａの状況を示すが、今回は、カップリング構造の結合状態である、図である。
【図５Ａ】図１に示される本発明によるハンドヘルド器具のカップリング構造を側面表示で別個に示す図であり、カップリング構造が、その結合状態にある、図である。
【図５Ｂ】再び図５Ａの状況を示すが、今回は部分的にゴースト表示である断面表示で示す図である。
【図６Ａ】再び図１のハンドヘルド器具のカップリング構造を、図５Ｂの表示と同様の断面部分ゴースト表示で示すが、今回は、表示が図５Ｂの表示よりも概略的であり、カップリング構造は結合状態ではなく、非結合状態である、図である。
【図６Ｂ】再び図６Ａの状況を示すが、今回はカップリング構造の結合状態である、図である。
【図７Ａ】図５Ｂにおいて視野方向矢印ＶＩＩ−Ａで示される断面平面上の部分的なゴースト表示である。
【図７Ｂ】図５Ｂにおいて視野方向矢印ＶＩＩ−Ｂで示される断面平面上の部分的なゴースト表示である。
【発明を実施するための形態】
【００３５】
本発明の上述した側面及び他の側面が、非限定的な例示を用いて、及び図面における概略図を参照して、以下に説明される実施形態から明らかになり、実施形態を参照して説明されるであろう。
【００３６】
図１、図５Ａ〜５Ｂ、図６Ａ〜６Ｂ、図７Ａ〜７Ｂに示すハンドヘルド器具は、上述した本発明の主な実施形態及び好ましい実施形態の全ての特徴を有する。
【００３７】
図１、図５Ａ〜５Ｂ、図６Ａ〜６Ｂ、図７Ａ〜７Ｂで使用される参照符号は、本発明の上述した部分及び側面、並びに関連する部分及び側面を以下の態様で参照している。
１  ハンドヘルド器具
２  本体
３  機能的アタッチメント
４  ハンドグリップ領域
５  機能的構造
６  駆動シャフト
６Ａ  駆動シャフト本体
６Ｂ  駆動シャフトアダプタ
７  被駆動部
８  結合ブッシュ
９  結合ヘッド
１０  結合スプリング
１６  駆動シャフト６の回転軸
１７  被駆動部７の回転軸
２７  被駆動部７用ピボットピン
【００３８】
図面の簡単な説明を含む上記導入的な説明と、図１、図５Ａ〜５Ｂ、図６Ａ〜６Ｂ、図７Ａ〜７Ｂで使用される上記説明された参照符号とに基づき、図１、図５Ａ〜５Ｂ、図６Ａ〜６Ｂ、図７Ａ〜７Ｂに示される実施例は、大部分が容易に自明である。以下に更なる説明が与えられる。
【００３９】
図１は、機能的アタッチメント３が本体２に解放可能に取り付けられた装着状態のハンドヘルド器具１を示す。示されたハンドヘルド器具１は、機能的アタッチメント３の機能的構造が２つのヘアカットユニット５を有するシェービング装置である。ハンドヘルド器具１のカップリング構造は、結合ブッシュ８、結合ヘッド９、及び結合スプリング１０を有する。
【００４０】
図５Ａ〜５Ｂ、図６Ａ〜６Ｂ、図７Ａ〜７Ｂが参照される。図６Ａ〜６Ｂは、図５Ｂと比較して、カップリング構造８、９、１０を、比較可能な、しかしより概略的な断面図で示すことに留意されたい。
【００４１】
被駆動部７はギアホイールであり、ここで結合ヘッド９はギアホイールと一体的に製造された部分である。被駆動部７は、ピボットピン２７（図６Ａ〜６Ｂに示す）の周りで回転可能であるという点で、回転軸１７の周りで回転可能である。ピボットピンの中心線は、回転軸１７として機能する。
【００４２】
駆動シャフト６は、駆動シャフト本体６Ａと駆動シャフトアダプタ６Ｂとを有し、後者は、回転軸１６の周りで共回転可能な態様で駆動シャフト本体６Ａに固定的に付けられる。
【００４３】
駆動シャフト６に対する結合ブッシュ８の軸方向変位可能性は、結合ブッシュ８と駆動シャフト６とが相互に伸縮係合する態様で相互接続されることで実現される。
【００４４】
結合スプリング１０は、駆動シャフトアダプタ６Ｂのフランジと結合ブッシュ８のフランジとの間に保持される。結合ブッシュ８及び結合スプリング１０の両方が、回転軸１６の周りで共回転可能な態様で駆動シャフト６に結合される。これらの共回転性は、駆動シャフトアダプタ６Ｂの外側の周囲が、回転軸１６に対して横方向の断面で見られるとき、結合ブッシュ８の内側の周囲の多角形状と嵌合する多角形状を持つことで実現される（図５Ｂと図７Ｂとを合わせて参照）。
【００４５】
カップリング構造８、９、１０の結合状態は、機能的アタッチメント２が本体３に取り付けられることを必要とする。カップリング構造体８、９、１０の結合状態は、結合ヘッド９が結合ブッシュ８の軸方向端部を介して結合ブッシュ８の内部空間に少なくとも部分的に挿入されることを追加的に必要とする。上記内部空間には、結合ブッシュ８と結合ヘッド９との間に共回転カップリングが存在する。上記カップリング構造体８、９、１０において、上記内部空間における上記共回転カップリングは、上記結合ヘッド９の外側の周囲が、回転軸１７に対して横方向の断面で見られるとき、上記結合ブッシュ８の内側の周囲の多角形状と嵌合する多角形状を持つことで実現される（図５Ｂと図７Ａとを合わせて参照）。
【００４６】
図５Ａ〜５Ｂでは、カップリング構造８、９、１０はその結合状態にある。図６Ａ及び図６Ｂの両方において、機能的アタッチメント２は本体３に取り付けられる。しかしながら、図６Ａと図６Ｂとの違いは、図６Ａではカップリング構造体８、９、１０が非結合状態であるのに対し、図６Ｂでは結合状態であることである。即ち、図６Ａでは、結合ヘッド９及び結合ブッシュ８の上記嵌合多角形形状の位置ずれにより、結合ヘッド９は、結合ブッシュ８と結合ヘッド９との共回転結合のための結合ブッシュ８の内部空間内にまだ伸びていない。実際、図６Ａは、ユーザが機能的アタッチメント２を本体３に装着した直後であって、まだモータが駆動シャフト６の駆動を開始していない状態に関する。ユーザがモータを起動するとすぐに、結合スプリング１０の影響で上記の位置ずれが自動的にキャンセルされ、これは、結合ブッシュ８が結合ヘッド９に向かって変位することを促し、その結果、結合ヘッド９が、結合ブッシュ８の内部空間に少なくとも部分的に伸びるようになり、これにより図６Ｂに示された結合状態が得られる。
【００４７】
こうして、本発明によるハンドヘルド器具１は、図２、図３Ａ〜３Ｂ、図４Ａ〜４Ｂの既知のハンドヘルド器具１０１とは、以下の点で異なることが今明らかになった。
【００４８】
−結合ヘッド９は、機能的アタッチメント３内で軸方向に固定される（既知のハンドヘルド器具１０１の結合ヘッド１０９の場合のように、機能的アタッチメント内で軸方向に変位可能であるのではなく）。
【００４９】
−結合ブッシュ８は、本体２内で軸方向に変位可能である（既知のハンドヘルド器具１０１の結合ブッシュ１０８の場合のように、本体内で軸方向に固定されるのではなく）。
【００５０】
−結合スプリング１０は、本体２内に収容される（既知のハンドヘルド器具１０１の結合スプリング１１０の場合のように、機能的アタッチメント内に収容されるのではなく）。
【００５１】
本発明が、上述の説明及び図面において詳細に図示及び説明されたが、斯かる図示及び説明は、例示的及び／又は説明的であり、限定的と見なされるべきではない。本発明は開示された実施形態に限定されるものではない。
【００５２】
開示された実施形態に対する他の変形は、図面、開示、及び添付の請求項の研究から、請求項に記載された発明を実施する当業者により理解及び達成され得る。請求項において、「有する」という語は他の要素又はステップを排除するものではなく、不定冠詞「ａ」又は「ａｎ」は複数性を排除するものではない。単一のプロセッサ又は他のユニットが、請求項に記載されたいくつかのアイテムの機能を果たし得る。明快さのため及び簡潔な説明とするために、本書において、特徴は、同一又は別個の実施形態の一部として開示されるが、本発明の範囲は、開示された特徴のすべて又は一部の組み合わせを持つ実施形態を含むことができる点を理解されたい。特定の手段が相互に異なる従属請求項に記載されるという単なる事実は、これらの手段の組み合わせが有利に使用されることができないことを示すものではない。請求項における参照符号は、範囲を限定するものとして解釈されるべきではない。
【図１】
2021533948.tif 000003
【図２】
2021533948.tif 000004
【図３Ａ】
2021533948.tif 000005
【図３Ｂ】
2021533948.tif 000006
【図４Ａ】
2021533948.tif 000007
【図４Ｂ】
2021533948.tif 000008
【図５Ａ】
2021533948.tif 000009
【図５Ｂ】
2021533948.tif 000010
【図６Ａ】
2021533948.tif 000011
【図６Ｂ】
2021533948.tif 000012
【図７Ａ】
2021533948.tif 000013
【図７Ｂ】
2021533948.tif 000014
【国際調査報告】
2021533948.tif 000015
2021533948.tif 000016
2021533948.tif 000017